(57)【特許請求の範囲】
【請求項１】
レンチキュラー画像を観察するために必要なレンチキュラーレンズ（１０）のレンチキュラー周波数によってレンチキュラー画像の色分解版をスクリーン処理する方法であって、各色分解版について、あるスクリーン角度のもとでスクリーン周波数を用いて振幅変調スクリーン画像が算出され、該スクリーン角度のタンジェントが有理数である、レンチキュラー画像の色分解版をスクリーン処理する方法において、
前記レンチキュラー画像の画像ストライプに対して垂直な方向に関連するスクリーン角度を特定の色分解版について定め、
商（ｍ／ｎ）が前記スクリーン角度のタンジェントに等しい１組の整数（ｎ，ｍ）を定め、
前記レンチキュラー周波数と、前記２つの整数（ｎ，ｍ）それぞれの平方の和の平方根との積として前記色分解版の前記スクリーン周波数を算出することを特徴とする、
レンチキュラー画像の色分解版をスクリーン処理する方法。
【請求項２】
前記色分解版のそれぞれ２つは、スクリーン角度が互いに異なっていることを特徴とする、請求項１に記載のレンチキュラー画像の色分解版をスクリーン処理する方法。
【請求項３】
特定の色分解版についての前記スクリーン角度は、スクリーン処理でのモアレ効果を最小限に抑えるために最適化されたスクリーン角度の群から選択されることを特徴とする、請求項１または２に記載のレンチキュラー画像の色分解版をスクリーン処理する方法。
【請求項４】
前記スクリーン角度は、０度、４５度、約１８．４３５度（タンジェントは１／３に等しい）または約１６１．５６５度（タンジェントは−１／３に等しい）であることを特徴とする、請求項１から３のいずれか１項に記載のレンチキュラー画像の色分解版をスクリーン処理する方法。
【請求項５】
前記スクリーン角度は、約３３．６９度（タンジェントは２／３に等しい）、約１４６．３１度（タンジェントは−２／３に等しい）、約１８．４３５度（タンジェントは１／３に等しい）または約１６１．５６５度（タンジェントは−１／３に等しい）であることを特徴とする、請求項１から４のいずれか１項に記載のレンチキュラー画像の色分解版をスクリーン処理する方法。
【請求項６】
シアン、マゼンタ、イエロー、ブラックでの４色刷り用の４つの前記色分解版から４つの前記スクリーン画像が算出されることを特徴とする、請求項１から５のいずれか１項に記載のレンチキュラー画像の色分解版をスクリーン処理する方法。
【請求項７】
複数組の整数（ｎ，ｍ）が存在するスクリーン角度については、該複数組の整数（ｎ，ｍ）の商（ｍ／ｎ）が該スクリーン角度のタンジェントに等しく、
算出された前記スクリーン周波数は、画像付け用に与えられる標準スクリーン周波数に対して該スクリーン周波数と該標準スクリーン周波数との差の絶対値が最小であるものが適用されることを特徴とする、
請求項１から６のいずれか１項に記載のレンチキュラー画像の色分解版をスクリーン処理する方法。
【請求項８】
前記スクリーン角度は、そのタンジェントが１２よりも小さい値の整数の商として表すことができる有理数であるように適用されることを特徴とする、請求項１から７のいずれか１項に記載のレンチキュラー画像の色分解版をスクリーン処理する方法。
【請求項９】
前記レンチキュラー周波数は、５から１５０ｌｐｉ（lines per inch）の間にあることを特徴とする、請求項１から８のいずれか１項に記載のレンチキュラー画像の色分解版をスクリーン処理する方法。
【請求項１０】
算出された前記スクリーン周波数は、１よりも大きい自然数の逆数と乗算されることを特徴とする、請求項１から９のいずれか１項に記載のレンチキュラー画像の色分解版をスクリーン処理する方法。
【請求項１１】
デジタルコンピュータの内部記憶装置に直接ロードすることができ、かつ／あるいはコンピュータに適した媒体に保存されているコンピュータプログラム製品であって、
前記コンピュータプログラム製品をコンピュータで動かしたときに請求項１から１０のいずれか１項に記載の方法のすべてのステップを実行することができるソフトウェアコード区域を含んでいる、
コンピュータプログラム製品。
【請求項１２】
請求項１から１０のいずれか１項に記載の方法によって計算された色分解版のそれぞれが版に露光され、露光された該版が印刷機内において被印刷体上に重ね刷り状態で押し付けられ、それによって多色のレンチキュラー画像が該被印刷体上に生じることを特徴とする、被印刷体上にレンチキュラー画像を作成する方法。
【請求項１３】
印刷された前記レンチキュラー画像上に、一連のレンズを有するレンズフィルムが該レンチキュラー画像と同じ配列のレンチキュラー周波数で塗布されることを特徴とする、請求項１２に記載のレンチキュラー画像を作成する方法。
【発明の詳細な説明】
【技術分野】
【０００１】
本発明は、レンチキュラー画像を観察するために必要なレンチキュラーレンズのレンチキュラー周波数によってレンチキュラー画像の色分解版をスクリーン処理（Rasterung）する方法であって、各色分解版について、あるスクリーン角度（Rasterwinkel）のもとでスクリーン周波数（Rasterfrequenz）を用いて振幅変調スクリーン画像（amplitudenmoduliertes Rasterbild）が算出され、スクリーン角度のタンジェントが有理数である方法に関する。さらに本発明は、被印刷体上にレンチキュラー画像を作成する方法に関する。
【背景技術】
【０００２】
高価値な包装印刷では、印刷された包装およびその中に含まれる製品の魅力を増大させるために、人間の目に対する特別な効果を実現したいという要望が増えてきている。この目的のために、特に、レンチキュラー画像を作成することが広く行われている。レンチキュラー画像は、レンチキュラー周波数に合わせて適合化されて配列されているとともにストライプに分解された複数の画像の連続で構成されている。そして、レンチキュラー画像は、画像ストライプの方向に向いた対応するレンチキュラー周波数（長さ単位あたりのレンズ数で表す）のレンズストライプの群を介して観察される。観察角に依存して、この観察方向でレンズによって結像されるとともに連続して配列された個々のストライプが、合成された１つの全体画像を形成する。複数の画像のストライプの配列が相応に選択されていれば、異なる観察角から異なる全体画像を見ることができる。このようにして、たとえば連続する運動ステップの個々の画像の連続が観察角の関数で連続的に知覚可能になっていれば、運動が生じているような錯覚を起こすことができる。
【０００３】
特にオフセット印刷用として普及している大半の印刷方法では、明度差を実現するために、観察者に対して所望の明度印象を引き起す、色点としてスクリーン処理された画像を作成することが必要である。周知の方法は、規則的なスクリーンに配置され、面積が可変な色点（振幅変調スクリーン）を利用する。その場合、多色刷り、特に４色刷りでは、周知のとおり、個々の色分解版のスクリーン画像が互いに干渉しあうと、複数の色分解版のスクリーンを重ね刷りしたときに、外見上視認できることで支障となるアーティファクトが生じるというおそれがある（たとえばモアレ効果）。
【０００４】
実際問題として、レンチキュラー画像が、画像ストライプの配置方向に基づく特別な角度方向と、長さ単位あたりのレンズ数で表したレンチキュラー周波数（空間周波数spatial frequency）とを有しているという事実は、スクリーン処理されたレンチキュラー画像の作成にあたって付け加わる課題であることが判っている。レンチキュラー画像は、従来の画像との比較では１つの方向に別の周期性を有しており、こうした周期性が色分解版のスクリーンの周期性と干渉する可能性があるため、望ましくない視認できるアーティファクトが生じることになる。特に、レンチキュラー周波数またはレンチキュラー周波数の倍数の小さいものと、スクリーン周波数（長さ単位あたりの網点で表し、広く一般にlines per inchと呼ばれる。）とが、同じオーダーになり得る。従来、その対策は経験的な実験に基づいてパラメータが算出されたスクリーンによってしか実現されていない。適切なパラメータを有するスクリーンが体系的に算出される方法は、これまで存在していない。
【発明の概要】
【発明が解決しようとする課題】
【０００５】
本発明は、最小限のモアレ効果でレンチキュラー画像をスクリーン処理することを可能にすることを目的とする。
【課題を解決するための手段】
【０００６】
この目的は本発明によれば、請求項１に係る特徴を有する色分解版をスクリーン処理する方法によって達成される。本発明の好適な更なる態様は、従属請求項で特徴が記載されている。
【０００７】
レンチキュラー画像を観察するために必要なレンチキュラーレンズのレンチキュラー周波数によってレンチキュラー画像の色分解版をスクリーン処理する方法であって、各色分解版について、あるスクリーン角度のもとでスクリーン周波数を用いて振幅変調スクリーン画像が算出され、スクリーン角度のタンジェントは有理数である。レンチキュラー画像の画像ストライプに対して垂直な方向に関連するスクリーン角度が特定の色分解版について定められる。商（ｍ／ｎ）がスクリーン角度のタンジェントに等しい１組の整数（ｎ，ｍ）が定められる。色分解版のスクリーン周波数は、レンチキュラー周波数と、これら２つの整数（ｎ，ｍ）それぞれの平方の和の平方根との積として算出される。
【０００８】
すなわち本発明によれば、レンチキュラー画像の印刷のために適切な振幅変調スクリーン、特にそのスクリーン角度およびスクリーン幅（Rasterweite）が色分解版の個々のスクリーン画像について定められるスクリーン処理方法が、目的に即して提供される。スクリーンは、レンチキュラー画像の方向に合わせて配列される。その好適な結果として、特に複数の色分解版を重ね刷りしたときにレンチキュラー周波数とスクリーンとの相互作用が生じず、かつ、配列されたストライプとして配置されるレンチキュラー画像の画像内容とスクリーンとの相互作用も生じない。
【０００９】
本発明に係る方法の有効な作用は、個々の色分解版に使用されるすべてのスクリーンが、レンチキュラーレンズに対して垂直な方向においてレンズと等しい周期を有しているという原理に基づいている。本明細書に記載されている技術分野の当業者にとっては明白であるように、レンチキュラー周波数が実際にはレンチキュラー画像全体にわたって一定ではないため、実際には相応の公差が許容され、すなわち周期が近似的に等しければそれで十分であり、支障となるモアレ効果が起こることがない。相応の実験によれば、このような近似的に等しい周期の許容可能な公差は±２スクリーン線（Bildlinien）、好ましくは±１スクリーン線であることが判っている。そのため、周知のラスターイメージプロセッサが、通常は角度と幅の組み合わせを厳密にではなくある程度の公差をもってしか生成できないという事実は、実用面において問題にはならない。
【００１０】
レンチキュラー画像の観察者にとっては、レンチキュラーレンズに基づき、１つの次元において拡大されたスクリーンの一部しか視認できないので、たとえば周知のスクリーンにおける色分解版の重ね刷りから知られているような彩紋模様は消滅する。レンチキュラーレンズを通して見たときに観察者は、どのレンズにも常にスクリーンの対応する部分を見る。このようにして、レンズとスクリーンの間のモアレ効果が回避される。レンズ方向において支障となる現象を回避するために、ＲＴスクリーン（RT Rastern）として知られる、モアレ周期を最小限に抑えるアプローチが試みられている。
【００１１】
周波数とは空間周波数（spatial frequencies）のことを指す。本発明に係る方法で作成されるスクリーンは、特に直交スクリーンである。本発明に係る方法の各ステップは、各色分解版について適用することができる。スクリーンの網点は円形、楕円形、正方形、または線形であってよい。
【００１２】
本発明に係る方法では、色分解版のそれぞれ２つは、スクリーン角度が互いに異なっていることが好ましい。換言すると、異なる色分解版については、スクリーンを互いに相対的に回転させて位置するスクリーン画像が作成され、または、レンチキュラー画像の方向に対して異なる角度でスクリーンが位置しているスクリーン画像が作成される。本発明によれば、スクリーンは、異なるスクリーン角度の下で互いに異なるスクリーン幅を有することができる。
【００１３】
さらに、特定の色分解版についてのスクリーン角度は、スクリーン処理でのモアレ効果を最小限に抑えるために最適化されたスクリーン角度の群から選択することができる。スクリーン角度は、たとえば広く普及しているスクリーンの角度であってよく、その異なるスクリーン角度は有理数タンジェントを有するとともに、そのスクリーン角度はモアレ効果が回避されるように最適化されている（ＲＴスクリーン）。
【００１４】
本発明に係る方法の第１の態様では、スクリーン角度は、０度、４５度、約１８．４３５度（タンジェントは１／３に等しい）または約１６１．５６５度（タンジェントは−１／３に等しい）である。
【００１５】
本発明に係る方法の第２の好適な態様では、スクリーン角度は、スクリーン角度は、約３３．６９度（タンジェントは２／３に等しい）、約１４６．３１度（タンジェントは−２／３に等しい）、約１８．４３５度（タンジェントは１／３に等しい）または約１６１．５６５度（タンジェントは−１／３に等しい）である。
【００１６】
レンチキュラー画像の色分解版をスクリーン処理する本発明に係る方法では、特にシアン、マゼンタ、イエロー、ブラックでの４色刷り用の４つの色分解版から４つのスクリーン画像を算出することができる。色の数がこれよりも多い、またはこれよりも少ない多色刷りについても、色分解版の相応の数のスクリーン画像を算出することができる。特に、色分解版のうちの１つまたは複数は、基本色の混合によってつくることができない特色インキ用として与えられていてよい。
【００１７】
４色刷り（シアン、マゼンタ、イエロー、ブラック）で重ね刷りするための４つの色分解版では、上に挙げた好適な両方の態様において１つの色分解版のスクリーン画像用にそれぞれ１つのスクリーン角度が与えられている。そして、一般に各色の割当は任意であり、レンチキュラー画像の模様、またはその他の基準に基づいて、結果を最適化するという目的で各色の割当を選ぶことができる。
【００１８】
これに加えて本発明に係る方法では、複数組の整数（ｎ，ｍ）が存在するスクリーン角度については、複数組の整数（ｎ，ｍ）の商（ｍ／ｎ）がスクリーン角度のタンジェントに等しく、算出されたスクリーン周波数は、画像付け用に与えられる標準スクリーン周波数に対してスクリーン周波数と標準スクリーン周波数との差の絶対値が最小であるものが、特に算出された中から選択されたうえで適用されることが意図されていてよい。標準スクリーン周波数は、特に版露光装置、印刷版露光装置、特にオフセット版露光装置（たとえばサーマル版やＵＶ版の画像付けのためのもの）などの標準スクリーン周波数であってよい。このような種類の装置は標準スクリーン周波数を用いて作動するか、あるいは標準スクリーン周波数用として設計または最適化されていることで、画像付けが標準化されて実施される。特定の態様では、標準スクリーン周波数は２００から３００ｌｐｉ（lines per inch）の間にある。換言すると、考えられる複数のスクリーン周波数が本発明の条件を満たすケースについては、標準スクリーン周波数、特に版露光装置の周波数に最も近いスクリーン周波数が適用される。
【００１９】
本発明に係る方法の特定の群の態様では、スクリーン角度は、そのタンジェントが１２よりも小さい値の整数の商として表すことができる有理数であるように適用される。
【００２０】
レンチキュラー周波数は５から１５０ｌｐｉ（lines per inch）の間にあり、好ましくは１５から１２０ｌｐｉの間にあり、特に７０から８０ｌｐｉの間にあることが好ましい。
【００２１】
レンチキュラー画像の色分解版をスクリーン処理する本発明に係る方法の１つの発展例では、算出されたスクリーン周波数を１よりも大きい自然数の逆数と乗算することができる。換言すると、スクリーンについて１つのレンズ周期だけでなく、レンズ周期の自然数の分だけ倍数にした周期を基にする。自然数は特に２または３であってよい。ここで断っておくと、０度および４５度の角度ついては、視点に依存した効果を回避するために、ただ１つのレンズ周期を基にするほうが好ましい。
【００２２】
コンピュータプログラム製品、特にラスターパラメータ計算プログラムまたはラスターイメージプロセッサ（ＲＩＰ）も本発明と関連している。ラスターパラメータ計算プログラムは、特にPortable Data Format（ＰＤＦ）やPostScript（ＰＳ）において出力データを生成することができ、これら出力データをラスターイメージプロセッサへ供給することができる。ラスターイメージプロセッサは、特にPortable Data Format（ＰＤＦ）やPostScript（ＰＳ）内の入力データを処理することができる。本発明によるコンピュータプログラム製品は、デジタルコンピュータの内部記憶装置に直接ロードすることができ、かつ／あるいは、たとえばＤＶＤのようなコンピュータに適した媒体に保存されていてよい。このコンピュータプログラム製品は、当該製品をコンピュータで動かしたときに、本明細書に記載された特徴または特徴の組み合わせを有する方法のすべてのステップを実行することができる１つまたは複数のソフトウェアコード区域を含んでいる。
【００２３】
本明細書に記載された特徴または特徴の組み合わせを有する本発明に係る方法を用いる結果として、被印刷体上にレンチキュラー画像を作成する、特に印刷工学的に作成する方法が提供される。すなわち本発明によれば、レンチキュラー画像を作成するために、本明細書に記載された特徴または特徴の組み合わせを有する方法によって計算された色分解版のそれぞれが版、特に印刷版に露光され、露光された版、特に印刷版が印刷機内において被印刷体上に重ね刷り状態で押し付けられ、それによって多色のレンチキュラー画像が被印刷体上に生成される。
【００２４】
レンチキュラー画像は、より大きい印刷絵柄の一部であってよい。印刷機は、特に包装印刷機またはラベル印刷機であってよい。特にオフセット印刷、グラビア印刷、フレキソ印刷、凸版印刷、またはスクリーン印刷などの印刷方法をそれぞれ個々に、または組み合わせて適用することができる。
【００２５】
レンチキュラー画像を作成する本発明に係る方法の別のステップでは、印刷されたレンチキュラー画像上に、一連のレンズを有するレンズフィルムをレンチキュラー画像と同じ配列のレンチキュラー周波数で塗布することができる。
【００２６】
被印刷体は、特に紙、板紙、厚紙、有機ポリマーフィルム、またはアルミニウム箔であってよい。
【図面の簡単な説明】
【００２７】
【図１】２つのレンチキュラーレンズおよびその下にある一実施例としてのスクリーンを示す模式図である。
【図２】定められたスクリーン角度に関するスクリーン周波数を本発明に基づいて計算するための直角三角形を示す図である。
【図３】小さい整数を有する第１の群のスクリーン例である。
【図４】小さい整数を有する第２の群のスクリーン例である。
【発明を実施するための形態】
【００２８】
次に、本発明の実施の形態について図面を参照して説明する。
【００２９】
図１は、レンズ幅ｌを有する２つのレンチキュラーレンズ１０と、その下にある一実施例としてのレンチキュラー画像のスクリーン１２，１４とを示す模式図である。第１のスクリーン１２はレンズ周期性の方向１６に配列されており、第２のスクリーンはこの方向１６に対して約１８．４３４９度の角度を有している（この角度のタンジェントは１／３に等しい）。この図面からは、特に、レンズ周期性の方向１６に対して垂直な方向における２つのスクリーン１２，１４の周期性が認められる。レンチキュラーレンズ１０によるレンチキュラー画像の結像に基づき、観察者は画像部分１８だけを見ることができる。
【００３０】
図２は、定められたスクリーン角度に関して本発明に係るスクリーン周波数を計算するに当たっての図解用の直角三角形を示している。三角形の斜辺はレンズ幅ｌによって形成されている。三角形の直角を挟む二辺は、スクリーン幅ｒのｎ倍またはｍ倍である。これらのｎとｍは整数であり、その整数の正負の符号は、数学的な正または負の方向において直角を挟む二辺の角度方向を定める。本発明によれば、個々の色分解版の所望のスクリーン角度について各組の数値（ｎ，ｍ）が決められ、このとき商ｍ／ｎはスクリーン角度のタンジェントである。そして、あるスクリーン角度についてのスクリーン幅ｒは、数ｎおよびｍそれぞれの平方の和の平方根でレンズ幅を割ったものに等しい。それに応じてスクリーン周波数は、数ｎおよびｍそれぞれの平方の和の平方根にレンチキュラー周波数を乗じたものに等しい。
【００３１】
図３は、小さい整数を有する第１の群のスクリーン例を示している。数字の組（ｎ，ｍ）の値として０，１，２および３という小さい数字を用いるだけで、レンチキュラー画像用の本発明に係るスクリーンについて一連の適切なスクリーン角度を見出すことができる。これにより、重ね刷りおよびレンズ周期性に関わる本発明に係る方法ステップを適用したときに余分なモアレ効果が回避される。図３には、スクリーンにおいて反復するセルが示されている。
【００３２】
図４は、小さい整数を有する第２の群のスクリーン例を示している。図３について適用した数の組（ｎ，ｍ）の値に代えて、この図４では、ｎ＝４かつｍが小さい整数であるスクリーンセルが一実施例として図示されている。
【実施例】
【００３３】
最後に、７４．７０６ｌｐｉのレンチキュラー周波数をもつレンチキュラーフィルムについて２つの具体的な実施例を示す。ただし、本発明の範囲は、これらの実施例に限定されるものではない。
【００３４】
第１の実施例では、個々の色について次のスクリーン角度が適用される。スクリーン角度＿シアン＝１８．４３４９度、スクリーン角度＿マゼンタ＝１６１．５６５度、スクリーン角度＿イエロー＝０．０度、スクリーン角度＿ブラック＝１４６．３１度。このとき数の組は次のとおりである。シアンについては（３，１）、マゼンタについては（３，−１）、イエローについては（３，０）、ブラックについては（２，２）。本発明により、スクリーンの細かさ／スクリーン周波数は次のように算出される。スクリーン周波数＿シアン＝２３６．２４１ｌｐｉ、スクリーン周波数＿マゼンタ＝２３６．２４１ｌｐｉ、スクリーン周波数＿イエロー＝２２４．１１８ｌｐｉ、スクリーン周波数＿ブラック＝２１１．３ｌｐｉ。
【００３５】
第２の実施例では、個々の色について次のスクリーン角度が適用される。すなわち、スクリーン角度＿シアン＝１８．４３４９度、スクリーン角度＿マゼンタ＝１６１．５６５度、スクリーン角度＿イエロー＝３３．６９０１度、スクリーン角度＿ブラック＝１４６．３１度。数の組は次のとおりである。シアンについては（３，１）、マゼンタについては（３，−１）、イエローについては（３，２）、ブラックについては（３，−２）。本発明により、スクリーンの細かさ／スクリーン周波数は次のように算出される。スクリーン周波数＿シアン＝２３６．２４１ｌｐｉ、スクリーン周波数＿マゼンタ＝２３６．２４１ｌｐｉ、スクリーン周波数＿イエロー＝２６９．３５６ｌｐｉ、スクリーン周波数＿ブラック＝２６９．３５６ｌｐｉ。
【符号の説明】
【００３６】
１０  レンチキュラーレンズ
１２  第１のスクリーン
１４  第２のスクリーン
１６  レンズ周期性の方向
１８  画像部分
ｌ  レンズ幅
ｒ  スクリーン幅
【図１】
0005249849.tif 000002
【図２】
0005249849.tif 000003
【図３】
0005249849.tif 000004
【図４】
0005249849.tif 000005